(57)【要約】  【課題】  部品種類を削減できる発光装置を提供する。  【解決手段】  基板７には、発光素子であるＬＥＤ素子５が搭載されている。発光素子導光部品であるＬＥＤ導光板９、９は、基板７のＬＥＤ素子５に対応する位置に配置されている。ＬＥＤ導光板９は、被保持部である基板側凸部２７を有し、基板側凸部２７は、基板７に向かって断面形状が小さくなる断面形状を有する。基板側凸部２７は、保持部材である押さえ板１１の保持穴３７、３９に嵌り込む。ＬＥＤ導光板９の導光方向の配置に応じて、保持穴３７、３９の形状が異なっており、これによりＬＥＤ導光板９の形状が同じでも、取付高さを場所によって異ならせることができる。【選択図】  図１
2005183723.tif 000002
【特許請求の範囲】
【請求項１】
発光素子が搭載された基板と、前記基板からの距離が異なる表面を有する筐体と、前記発光素子に対応する位置に配置され、前記基板に向かって断面形状が小さくなる被保持部を有する発光素子導光部品と、前記被保持部が嵌り込む保持穴を有し、前記発光素子導光部品の導光方向の配置に応じて前記保持穴の形状が異なって設定されている保持部材とを備えたことを特徴とする発光装置。
【請求項２】
前記被保持部は、複数の段を有し、前記保持穴は、前記複数の段のいずれかに対応する大きさを有することを特徴とする請求項１に記載の発光装置。
【請求項３】
前記発光素子導光部品は、前記基板方向に向かって断面形状が小さくなるベース部、第１段部および第２段部を有し、前記第１段部および前記第２段部が前記被保持部に設けられており、前記保持部材は、前記ベース部の断面寸法より小さく、かつ前記第１段部の断面寸法より大きい第１保持穴と、前記第１段部の断面寸法より小さく、かつ前記第２段部の断面寸法より大きい第２保持穴とを有し、前記第１段部が前記第１保持穴に嵌り込み、前記第２段部が前記第２保持穴に嵌り込むことを特徴とする請求項２に記載の発光装置。
【請求項４】
前記被保持部は、テーパ部を有し、前記保持穴は、前記発光素子導光部品が所定の位置にあるときに前記テーパ部に接触する形状を有することを特徴とする請求項１に記載の発光装置。
【請求項５】
前記発光素子導光部品は、前記基板方向に向かって断面形状が小さくなるベース部、第１テーパ部および第２テーパ部を有し、前記第１テーパ部および前記第２テーパ部が前記テーパ部に設けられており、前記保持部材は、前記ベース部の断面寸法より小さく、かつ前記第２テーパ部の断面寸法より大きい第１保持穴と、前記第１テーパ部の断面寸法より小さい第２保持穴とを有し、前記第１テーパ部が前記第１保持穴に嵌り込み、前記第２テーパ部が前記第２保持穴に嵌り込むことを特徴とする請求項４に記載の発光装置。
【請求項６】
前記発光素子導光部品の導光方向の配置に応じて前記発光素子の発光量が異なって設定されていることを特徴とする請求項１ないし５のいずれかに記載の発光装置。
【請求項７】
前記発光素子導光部品の導光方向の配置に応じて前記発光素子の導光方向の配置が異なって設定されていることを特徴とする請求項１ないし５のいずれかに記載の発光装置。
【発明の詳細な説明】
【技術分野】
【０００１】
本発明は、部品の種類を減らすことができる発光装置に関する。
【背景技術】
【０００２】
発光装置は例えばＬＥＤ装置であり、ＬＥＤ装置は、発光素子としてのＬＥＤ素子と、発光素子が発する光を導く発光素子導光部品としてのＬＥＤ導光部品とで構成されている（例えば、特許文献１参照）。ＬＥＤ装置は各種の電子機器に搭載され、そして、ＬＥＤ導光部品は、筐体の窓に光を導くように設けられる。ＬＥＤ導光部品は板状の形を有することが多く、そのような部品はＬＥＤ導光板ともいわれる。
【０００３】
図７は、従来のＬＥＤ装置の例を示している。図の例では、筐体１０１は操作パネルであり、ＬＥＤの光を投光する窓１０３を有する。基板１０５にはＬＥＤ素子１０７が搭載されている。
【０００４】
ＬＥＤ導光板１０９は半透明な樹脂製であり、ベース部１１１と、ベース部１１１から筐体１０１に向けて突出する窓側凸部１１３と、ベース部１１１から基板１０５に向けて突出する基板側凸部１１５とを有し、窓側凸部１１３および基板側凸部１１５が板状である。ベース部１１１が押さえ板１１７と筐体１０１の間に挟まれ、これによりＬＥＤ導光板１０９が保持される。窓側凸部１１３は筐体１０１の窓１０３内に配置され、基板側凸部１１５が、押さえ板１１７に設けられた穴１１９に受け入れられている。
【０００５】
ところで、電子機器の操作パネル部の筐体は、最近、単一平面ではなく、若干アールをもたせた曲面のものが増えている。この場合のＬＥＤ装置の構成例を図８に示す。
【０００６】
図８において、筐体１２１は、曲面で構成されたパネルであり、窓１２３、１２５でのパネル表面までの高さが異なっている。そこで、パネル表面までの高さの相違に応じて、筐体１２１の裏面に段差を設けるとともに、高さが異なる２種類のＬＥＤ導光板１２７、１２９が備えられている。図の例ではＬＥＤ導光板１２７のベース部１３１よりも、ＬＥＤ導光板１２９のベース部１３３が厚く、したがってＬＥＤ導光板１２９の方がＬＥＤ導光板１２７より高い。
【０００７】
上記構成は、筐体が曲面を有する場合に限られず、筐体の高さが場所によって異なる場合に適用できる。そして、従来は、上記のようにＬＥＤ導光部品の形状を異ならせており、これにより、ＬＥＤ導光板の端面と筐体表面の位置関係が保たれている。
【特許文献１】特開２００２−３２１４９号公報（第３−４ページ、図６）
【発明の開示】
【発明が解決しようとする課題】
【０００８】
しかしながら、従来の発光装置は、上述したように複数種類の発光素子導光部品を備えており、部品の種類が多い分だけコストが高くなりがちであり、また、複数の部品を管理しなければいけない為、組立作業性も悪いという問題があった。
【０００９】
本発明は、従来の問題を解決するためになされたもので、部品の種類を減らすことのできる発光装置を提供することを目的とする。
【課題を解決するための手段】
【００１０】
本発明の発光装置は、発光素子が搭載された基板と、前記基板からの距離が異なる表面を有する筐体と、前記発光素子に対応する位置に配置され、前記基板に向かって断面形状が小さくなる被保持部を有する発光素子導光部品と、前記被保持部が嵌り込む保持穴を有し、前記発光素子導光部品の導光方向の配置に応じて前記保持穴の形状が異なって設定されている保持部材とを備えた構成を有する。発光装置、発光素子および発光素子導光部品は、例えば、それぞれＬＥＤ装置、ＬＥＤ素子およびＬＥＤ導光部品である。
【００１１】
この構成により、保持部材の保持穴の形状を場所によって異ならせることで、被保持部の異なった位置で発光素子導光部品が保持部材に保持され、これにより、発光素子導光部品の位置を調節でき、したがって、発光素子導光部品の形状が同じでも、発光素子導光部品の導光方向の位置を異ならせることができる。
【００１２】
本発明の発光装置において、前記被保持部は、複数の段を有し、前記保持穴は、前記複数の段のいずれかに対応する大きさを有する。
【００１３】
この構成により、保持部材が、被保持部の複数の段のいずれかで被保持部を保持することができ、複数段階の任意の位置での確実な位置決めができる。
【００１４】
また、本発明の発光装置において、前記発光素子導光部品は、前記基板方向に向かって断面形状が小さくなるベース部、第１段部および第２段部を有し、前記第１段部および前記第２段部が前記被保持部に設けられており、前記保持部材は、前記ベース部の断面寸法より小さく、かつ前記第１段部の断面寸法より大きい第１保持穴と、前記第１段部の断面寸法より小さく、かつ前記第２段部の断面寸法より大きい第２保持穴とを有し、前記第１段部が前記第１保持穴に嵌り込み、前記第２段部が前記第２保持穴に嵌り込む。
【００１５】
この構成により、発光素子導光部品の位置が、上記の第１段部が第１保持穴に嵌り込むときと、第２段部が前記第２保持穴に嵌り込むときとで異なることになり、保持穴の形状によって発光素子導光部品の位置を異ならせることができる。
【００１６】
また、本発明の発光装置において、前記被保持部は、テーパ部を有し、前記保持穴は、前記発光素子導光部品が所定の位置にあるときに前記テーパ部に接触する形状を有する。
【００１７】
この構成により、テーパ部の任意の位置で被保持部を保持することができ、したがって、発光素子導光部品の位置設定の自由度を増大できる。
【００１８】
また、本発明の発光装置において、前記発光素子導光部品は、前記基板方向に向かって断面形状が小さくなるベース部、第１テーパ部および第２テーパ部を有し、前記第１テーパ部および前記第２テーパ部が前記テーパ部に設けられており、前記保持部材は、前記ベース部の断面寸法より小さく、かつ前記第２テーパ部の断面寸法より大きい第１保持穴と、前記第１テーパ部の断面寸法より小さい第２保持穴とを有し、前記第１テーパ部が前記第１保持穴に嵌り込み、前記第２テーパ部が前記第２保持穴に嵌り込む。
【００１９】
この構成により、発光素子導光部品の位置が、上記の第１テーパ部が第１保持穴に嵌り込むときと、第２テーパ部が前記第２保持穴に嵌り込むときとで異なることになり、保持穴の形状によって発光素子導光部品の位置を異ならせることができる。
【００２０】
また、本発明の発光装置は、前記発光素子導光部品の導光方向の配置に応じて前記発光素子の発光量が異なって設定されている。この構成により、発光素子導光部品を通って投光される光量の差を低減できる。
【００２１】
また、本発明の発光装置は、前記発光素子導光部品の導光方向の配置に応じて前記発光素子の導光方向の配置が異なって設定されている。この構成によっても、発光素子導光部品を通って投光される光量の差を低減できる。
【発明の効果】
【００２２】
上記のように、本発明は、発光素子導光部品に、基板に向かって断面形状が小さくなる被保持部を設けるとともに、保持部材に、発光素子導光部品の配置に応じて形状が異なる保持穴を設けたことで、発光素子導光部品の種類を減らすことができ、種類の削減によってコスト低減を図ることができ、また、組立作業を容易にできる。
【発明を実施するための最良の形態】
【００２３】
以下、本発明の実施の形態の発光装置について、図面を用いて説明する。本実施の形態では、下記のように、発光装置がＬＥＤ装置であり、発光素子がＬＥＤ素子であり、発光素子導光部品がＬＥＤ導光部品としてのＬＥＤ導光板である。
【００２４】
図１は、本発明の第１の実施の形態のＬＥＤ装置を示している。図１において、ＬＥＤ装置１は、筐体３と、発光素子であるＬＥＤ素子５が搭載される基板７と、ＬＥＤ素子５が発する光を導くＬＥＤ導光板９と、ＬＥＤ導光板９を保持する押さえ板１１とを有している。ＬＥＤ導光板９は、筐体３と押さえ板１１の間に挟まれた状態で保持される。ＬＥＤ導光板９および押さえ板１１が、それぞれ、本発明の発光素子導光部品および保持部材に相当する。
【００２５】
筐体３は樹脂製であり、図示のように、２つのＬＥＤ窓１３、１５が設けられている。筐体３の表面１７が曲面で構成されており、そのために、ＬＥＤ窓１３、１５での筐体３の表面１７の高さが異なっている。
【００２６】
なお、以下の説明において、筐体３の表面１７等の高さとは、導光方向の高さであり、導光方向とは、ＬＥＤ導光板９が光を導く方向である。図１の例では、導光方向は、基板７からＬＥＤ窓１３、１５に向かう方向である。
【００２７】
筐体３の裏面１９には段差２１が設けられており、図示のように、段差２１の高さａは、ＬＥＤ窓１３、１５での表面１７の高さの差に等しい。これにより、筐体３の裏側の高さもＬＥＤ窓１３、１５の位置で変化し、そして、筐体３がＬＥＤ窓１３、１５の位置でほぼ同じ厚さを有している。
【００２８】
ＬＥＤ導光板９は半透明の樹脂製であり、２つのＬＥＤ導光板９は同じ部品である。ＬＥＤ導光板９は、ベース部２３、窓側凸部２５および基板側凸部２７を有し、窓側凸部２５および基板側凸部２７が板状である。
【００２９】
窓側凸部２５は、ベース部２３の筐体３側の端面２９から筐体３に向けて突出しており、筐体３のＬＥＤ窓１３、１５に嵌り込む形状を有する。そして、端面２９は、筐体３の裏面１９に接している。
【００３０】
一方、基板側凸部２７は、ベース部２３の基板側の端面３１から基板７に向けて突出している。基板側凸部２７は、本発明の被保持部に相当しており、本実施の形態の特徴として、基板側凸部２７の断面形状が基板７に向かって小さくなっている。本実施の形態では、基板型凸部２７が段階的に細くなっており、第１段部３３と第２段部３５で構成されている。なお、第１段部３３の断面形状はベース部２３の断面形状より小さい。また、第１段部３３の高さは、ＬＥＤ窓１３、１５の出口高さの差ａと同じに設定されており、したがって、筐体３の裏面１９にある段差２１の高さとも等しい。
【００３１】
次に、押さえ板１１は鋼板製であり、２つのＬＥＤ素子５に対応する位置に、保持穴３７、３９を有する。
【００３２】
保持穴３７は、ＬＥＤ導光板９の基板側凸部２７の第１段部３３に対応する大きさを有している。保持穴３７の断面寸法の大きさは、第１段部３３との間に小さい隙間を作る程度に第１段部３３の断面寸法より大きく、かつ、ベース部２３の断面寸法よりは小さい。これにより、保持穴３７では、ＬＥＤ導光板９が基板側凸部２７の第１段部３３まで保持穴３７に嵌り込み、ベース部２３の端面３１に押さえ板９が当たっている。
【００３３】
これに対して、保持穴３９は、保持穴３７の断面寸法より小さく、第２段部３５に対応する大きさを有している。保持穴３９の断面寸法の大きさは、第２段部３５との間に小さい隙間を作る程度に第２段部３５の断面寸法より大きく、かつ、第１段部３３の断面寸法よりは小さい。したがって、保持穴３９では、ＬＥＤ導光板９が第２段部３５までしか保持穴３９に嵌り込んでおらず、第１段部３３の端面４１に押さえ板９が当たっている。
【００３４】
なお、上記の断面寸法とは、ベース部２３、第１段部３３、第２段部３５、保持穴３７、３９といった各種要素の断面形状の大きさを表す寸法であり、より詳細には、ＬＥＤ導光板９の挿入方向に交差する方向の寸法である。上記の例では、保持穴３７、３９等が矩形であり、断面寸法は矩形の辺の長さ（幅等）である。また、保持穴３７、３９等が円形であれば断面寸法は直径であり、楕円であれば断面寸法は長径または短径である。保持穴とそれに嵌る部材の嵌合関係が表されれば、断面寸法は任意の寸法でよい。
【００３５】
上記の断面寸法の設定により、保持穴３９が設けられたＬＥＤ窓１５と、保持穴３７が設けられたＬＥＤ窓１３とを比べると、ＬＥＤ窓１５の方が、ＬＥＤ導光板９が押さえ板１１に浅く嵌り込んでおり、基板７から遠くに位置している。そして、ＬＥＤ窓１５のＬＥＤ導光板９は、第１段部３３の高さに相当する距離ａだけ、ＬＥＤ窓１３のＬＥＤ導光板９より基板７から遠くに位置する。一方、ＬＥＤ窓１５とＬＥＤ窓１３の出口の高さも、距離ａだけ異なっている。したがって、ＬＥＤ窓１３とＬＥＤ窓１５では、ＬＥＤ導光板９の端部と窓出口の高さ方向の位置関係がほぼ同じになっている。
【００３６】
また、本実施の形態では、ＬＥＤ素子５の発光量が、ＬＥＤ導光板９の配置に応じて異なって設定されている。ＬＥＤ導光板９が導光方向に前にあるほど、すなわち、基板７から遠いほど、ＬＥＤ素子５の発光量が大きく設定されている。図１の例では、ＬＥＤ窓１３に設けられたＬＥＤ素子５の発光量よりも、ＬＥＤ窓１５に設けられたＬＥＤ素子５の発光量が大きく設定されている。そして、ＬＥＤ素子５の発光量は、ＬＥＤ窓１３とＬＥＤ窓１５で、ＬＥＤ導光板９の基板側凸部２７の端面での受光量がほぼ等しくなるように設定されている。これにより、窓側凸部２５からの投光量も、ＬＥＤ窓１３とＬＥＤ窓１５でほぼ等しくなる。
【００３７】
なお、本実施の形態の変形例として、ＬＥＤ素子５の発光量を変える代わりに、ＬＥＤ素子５の位置を異ならせて、ＬＥＤ窓１３、１５で、ＬＥＤ素子５とＬＥＤ導光板９の距離を等しくしてもよい。また、ＬＥＤ素子５自体の高さを変えて、ＬＥＤ窓１３、１５で、ＬＥＤ素子５とＬＥＤ導光板９の距離を等しくしてもよい。この構成でも、ＬＥＤ導光板９の位置が異なるにも拘わらず、投光量を等しくできる。
【００３８】
次に、上述したＬＥＤ装置１の組立順序の例を説明する。２つのＬＥＤ導光板９の窓側凸部２５が、それぞれ、筐体３のＬＥＤ窓１３、１５に嵌め込まれる。そして、押さえ板１１が筐体３に裏側から取り付けられる。このとき、押さえ板１１の保持穴３７、３９にＬＥＤ導光板９の基板側凸部２７が嵌め込まれる。保持穴３７では、基板側凸部２７が第１段部３３まで保持穴３７に嵌り込み、保持穴３９では、基板側凸部２９が第２段部３５まで保持穴３９に嵌り込み、これにより２つのＬＥＤ導光板９が異なる高さに組み付けられる。そして、筐体３は、基板７が取り付けられた電子機器の本体に取り付けられる。このとき、ＬＥＤ導光板９がＬＥＤ素子５と対向するように筐体３が配置される。
【００３９】
以上に説明した第１の実施の形態においては、前述したように、ＬＥＤ導光板９が発光素子導光部品に相当し、押さえ板１１が保持部材に相当し、ＬＥＤ導光板９の基板側凸部２７が被保持部に相当する。そして、発光素子導光部品に、基板に向かって断面形状が小さくなる被保持部を設けるとともに、保持部材に、発光素子導光部品の配置に応じて形状が異なる保持穴を設けており、このような構成により同じ形状の発光素子導光部品が、場所によって被保持部の異なった位置で保持部材に保持される。したがって、発光素子導光部品の形状が同じでも、取付位置の高さを変更および調節でき、これにより部品の種類を削減できる。部品の種類を削減することで、コストの低減を図ることができ、また、作業工数の削減も可能となる。
【００４０】
また、本実施の形態の発光装置は、被保持部に複数の段を設けて、保持穴の大きさを複数の段のいずれかに対応させたことにより、保持部材が、被保持部の複数の段のいずれかで被保持部を保持することができ、複数段階の任意の位置での確実な位置決めができる。
【００４１】
また、本実施の形態の発光装置は、発光素子導光部品にベース部、第１段部および第２段部を設け、保持部材に、ベース部の断面寸法より小さく、かつ第１段部の断面寸法より大きい第１保持穴と、第１段部の断面寸法より小さく、かつ第２段部の断面寸法より大きい第２保持穴とを設けたことにより、発光素子導光部品の位置が、上記の第１段部が第１保持穴に嵌り込むときと、第２段部が前記第２保持穴に嵌り込むときとで異なることになり、保持穴の形状によって発光素子導光部品の位置を異ならせることができる。
【００４２】
また、本実施の形態の発光装置は、発光素子導光部品の導光方向の配置に応じて発光素子の発光量を異なって設定することにより、発光素子導光部品を通って投光される光量の差を低減できる。
【００４３】
また、本実施の形態の発光装置は、発光素子導光部品の導光方向の配置に応じて発光素子の導光方向の配置を異なって設定することにより、発光素子導光部品を通って投光される光量の差を低減できる。
【００４４】
図２〜図５は、本発明の第２の実施の形態におけるＬＥＤ装置を示している。以下、図１に関連して説明した事項は適宜省略する。
【００４５】
図２は外観の斜視図であり、図２においては、電子機器５１がＬＥＤ装置５３を備えており、操作パネル５５は電子機器５１の筐体の一部である。操作パネル５５の表面５７には、７つＬＥＤ窓５９ａ〜５９ｇが設けられており、ＬＥＤ窓５９ａ〜５９ｇは略楕円形であり、操作パネル５５を貫通している。操作パネル５５の表面５７が曲面で構成されているので、ＬＥＤ窓５９ａ〜５９ｇの位置によって表面５７の高さが異なっている。ＬＥＤ窓５９ａ〜５９ｇからは、ＬＥＤ導光板６１の端部が見えている。
【００４６】
図３は、ＬＥＤ導光板６１を示しており、図３（ａ）は斜視図、図３（ｂ）は正面図、図３（ｃ）は側面図である。ＬＥＤ導光板６１は、ベース部６３の両側に窓側凸部６５と基板側凸部６７を有し、基板側凸部６７が被保持部に相当する。
【００４７】
基板側凸部６７は、段階的に、２段階で細くなっている。すなわち、基板側凸部６７は、図示のように、根本から先端に向けて第１段部６９、第２段部７１、第３段部７３を有し、ベース部２３、第１段部６９、第２段部７１、第３段部７３の順番で断面形状が小さくなっている。
【００４８】
図４は、ＬＥＤ装置５３の分解組立図であり、ＬＥＤ装置５３には７つのＬＥＤ導光板６１が組み付けられる。７つのＬＥＤ導光板６１は同じ部品である。ＬＥＤ導光板６１の窓側凸部６５が操作パネル５５のＬＥＤ窓５９ａ〜５９ｇに嵌り込み、基板側凸部６７が押さえ板７５の保持穴７７ａ〜７７ｇに嵌り込む。
【００４９】
図示のように、保持穴７７ａ〜７７ｇは、３種類の大きさを有する。保持穴７７ａ、７７ｂは小さく、保持穴７７ｅ、７７ｆは中間の大きさであり、保持穴７７ｃ、７７ｄ、７７ｇは最も大きい。保持穴７７ａ、７７ｂの大きさは、ＬＥＤ導光板６１の基板側凸部６７の第３段部７３に対応しており、保持穴７７ｅ、７７ｆは第２段部７１に対応しており、保持穴７７ｃ、７７ｄ、７７ｇは第１段部６９に対応している。
【００５０】
例えば、保持穴７７ｃ、７７ｄ、７７ｅについて見ると、保持穴７７ｃ、７７ｄ、７７ｅの断面寸法は、第１段部６９との間に小さい隙間を作る程度に第１段部６９の断面寸法より大きく、かつ、ベース部６３の断面寸法より小さく設定されている。他の保持穴の断面寸法も同様であり、対応する段部の断面寸法より少し大きく設定されている。なお、上記の断面寸法は、第１の実施の形態で説明した通り、保持穴への導光部材の挿入方向に交差する方向における保持穴等の寸法であり、保持穴等の嵌合に関する大小関係を表すものである。
【００５１】
上記の設定により、保持穴７７ａ、７７ｂでは、ＬＥＤ導光板６１が、第３段部７３まで嵌り込み、第２段部７１の端面が押さえ板７５に接している。また、保持穴７７ｅ、７７ｆでは、ＬＥＤ導光板６１が、第２段部７１まで嵌り込み、第１段部６９の端面が押さえ板７５に接している。さらに、保持穴７７ｃ、７７ｄ、７７ｇでは、ＬＥＤ導光板６１が、第１段部６９まで嵌り込み、ベース部６３の端面に接している。
【００５２】
図５は、ＬＥＤ窓５９ａ、５９ｂ、５９ｃを通る線Ａ−Ａで図２のＬＥＤ装置５を切断した断面図である。押さえ板６５はねじ７９で操作パネル５５に取り付けられており、押さえ板６５の背後には基板８１が位置し、基板８１にはＬＥＤ素子８３が搭載されており、ＬＥＤ素子８３とＬＥＤ導光板６１が向き合っている。
【００５３】
そして、図示のように、ＬＥＤ窓５９ａ、５９ｂでは、ＬＥＤ導光板６１の基板側凸部６７は途中までしか押さえ板６５に嵌り込まない。これに対して、ＬＥＤ窓５９ｃでは、基板側凸部６７は根本まで押さえ板６５に嵌り込んでいる。図５の切断方向では示されないが、ＬＥＤ窓５９ａ、５９ｃでは基板側凸部６７が第３段部までしか嵌り込まないのに対して、ＬＥＤ窓５９ｃでは基板側凸部６７が第１段部まで嵌り込んでいる。その結果、ＬＥＤ窓５９ａ、５９ｂのある場所の方が、ＬＥＤ窓５９ｃのある場所よりも、ＬＥＤ導光板６１が基板８１から遠くに位置している。
【００５４】
ここで、操作パネル５５の表面５７を見ると、表面５７は曲面であり、ＬＥＤ窓５９ａ、５９ｂのある場所の方が、ＬＥＤ窓５９ｃのある場所よりも、操作パネル５５の表面５７が高く、したがって、ＬＥＤ窓５９ａ、５９ｂとＬＥＤ窓５９ｃでは出口の高さが異なっている。窓出口高さと導光板取付高さが両方とも同じように異なっており、その結果、導光板端部と窓出口の位置関係がＬＥＤ窓５９ａ〜５９ｃでほぼ同じになっている。
【００５５】
図５には示されないが、図４のＬＥＤ窓５９ｄ〜５９ｇについても同様である。ＬＥＤ窓５９ｄ、５９ｇでは、ＬＥＤ導光板６１が、図５のＬＥＤ窓５９ｃと同じ高さに位置する。また、ＬＥＤ窓５９ｅ、５９ｆでは、ＬＥＤ導光板６１が第２段部まで押さえ板６５に嵌り込むので、ＬＥＤ導光板６１は中間の高さに位置する。このような取付により、７つのＬＥＤ窓５９ａ〜５９ｇで、導光板端部と窓出口の位置関係が同じになる。
【００５６】
以上に説明したように、第２の実施の形態においても、ＬＥＤ導光部品の形状が同じであっても、導光部品の導光方向の位置を異ならせることができ、部品の種類を削減でき、コストの低減および作業工数の削減が可能となる。
【００５７】
また、本実施の形態では、被保持部の段数を増やすことで、ＬＥＤ導光部品を配置を３段階で調整でき、配置の自由度が増している。被保持部の段数をさらに増やしてもよいことはもちろんである。
【００５８】
また、本発明の範囲内で、保持穴は、受入れ対象の被保持部に対応する形状寸法を、被保持部の周囲の一部で有していてもよい。上記の例においては、保持穴と基板側凸部の隙間が、基板側凸部の周囲の全体で小さくなくてもよく、例えば、長方形の長辺方向だけで隙間が小さくてもよい。
【００５９】
また、本発明の範囲内で、被保持部の断面形状は長方形でなくてもよく、例えば、円形でも、楕円形でも他の多角形でもよい。また、断面が一定でなくてもよく、例えば、根本側が円形で、先の方が四角形でもよい。
【００６０】
次に、図６は、本発明の第３の実施の形態を示している。図６において、図１と同様の要素には同一符号が付されており、これらの要素の説明は省略する。
【００６１】
本実施の形態でも、導光板９の基板側凸部２７は、基板７に向かって小さくなる断面形状を有する。ただし、図１の基板側凸部２７が段階的に細くなっているのに対して、本実施の形態の基板側凸部２７はテーパ部９１を有し、連続的に細くなっていく。テーパ部９１は、第１テーパ部９１１と第２テーパ部９１３を有する。第１テーパ部９１１および第２テーパ部９１３は共にテーパ部９１１の一部分であり、第１テーパ部９１１より第２テーパ部９１３の方が先端側の部分である。そして、ベース部９０、第１テーパ部９１１、第２テーパ部９１３の順で断面形状が小さくなる。
【００６２】
一方、押さえ板１１には、保持穴９３、９５が設けられており、保持穴９３、９５の大きさは、ＬＥＤ導光板９の配置に応じて異なっている。保持穴９３の断面寸法より保持穴９５の断面寸法が小さい。そして、保持穴９３の断面寸法は、ベース部９０の断面寸法より小さく、かつ第２テーパ部９１３の断面寸法より大きい。また、保持穴９５の断面寸法は、第１テーパ部９１１の断面寸法より小さい。これにより、保持穴９３に第１テーパ部９１１が嵌め込まれ、保持穴９５に第２テーパ部９１３が嵌め込まれ、ＬＥＤ導光板９はＬＥＤ窓１３よりＬＥＤ窓１５で高い所に位置している。本実施の形態では、結局、テーパ部９０上で保持穴９３に断面寸法が一致するところが、保持穴９３に接触し、第１テーパ部９１１に相当している。同様に、保持穴９５に断面寸法が一致するところが、保持穴９５に接触し、第２テーパ部９１３に相当している。
【００６３】
なお、上記の説明における断面寸法は、既に説明した通り、保持穴への導光部材の挿入方向に交差する方向での保持穴等の寸法であり、保持穴等の嵌合に関する大小関係を表すものである。また、保持穴９３は第１テーパ部９１１より大きくてもよく、この場合には、ベース部９０の端面が押さえ板１１に接触するまでＬＥＤ導光板９が保持穴９３に嵌り込む。
【００６４】
以上に説明したように、第３の実施の形態においても、導光部品の形状が同じであっても、導光部品の導光方向の位置を異ならせることができ、部品の種類を削減でき、コストの低減および作業工数の削減が可能となる。
【００６５】
また、本実施の形態によれば、テーパ部の任意の位置で被保持部を保持することができ、したがって、発光素子導光部品の位置設定の自由度を増大できる。
【００６６】
また、本実施の形態の発光装置は、発光素子導光部品にベース部、第１テーパ部および第２テーパ部を設け、保持部材に、ベース部の断面寸法より小さく、かつ第２テーパ部の断面寸法より大きい第１保持穴と、第１テーパ部の断面寸法より小さい第２保持穴とを設けたことにより、発光素子導光部品の位置が、上記の第１テーパ部が第１保持穴に嵌り込むときと、第２テーパ部が前記第２保持穴に嵌り込むときとで異なることになり、保持穴の形状によって発光素子導光部品の位置を異ならせることができる。
【００６７】
また、本実施の形態でも、被保持部の断面形状は長方形でなくてもよく、例えば、円形でも、楕円形でも他の多角形でもよい。
【００６８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００６９】
以上のように、本発明にかかる発光装置は、部品の種類を削減できるという効果を有し、電子機器等として有用である。
【図面の簡単な説明】
【００７０】
【図１】本発明の第１の実施の形態におけるＬＥＤ装置の断面図
【図２】本発明の第２の実施の形態におけるＬＥＤ装置の斜視図
【図３】（ａ）本発明の第２の実施の形態におけるＬＥＤ導光板の斜視図  （ｂ）本発明の第２の実施の形態におけるＬＥＤ導光板の正面図  （ｃ）本発明の第２の実施の形態におけるＬＥＤ導光板の側面図
【図４】本発明の第２の実施の形態におけるＬＥＤ装置の分解組立図
【図５】本発明の第２の実施の形態におけるＬＥＤ装置の断面図
【図６】本発明の第３の実施の形態におけるＬＥＤ装置の断面図
【図７】従来のＬＥＤ装置の断面図
【図８】従来のＬＥＤ装置の断面図
【符号の説明】
【００７１】
１  ＬＥＤ装置
３  筐体
５  ＬＥＤ素子
７  基板
９  ＬＥＤ導光板
１１  押さえ板
１３，１５  ＬＥＤ窓
２３  ベース部
２５  窓側凸部
２７  基板側凸部
３３  第１段部
３５  第２段部
３７，３９  保持穴
【図１】
2005183723.tif 000003
【図２】
2005183723.tif 000004
【図３】
2005183723.tif 000005
【図４】
2005183723.tif 000006
【図５】
2005183723.tif 000007
【図６】
2005183723.tif 000008
【図７】
2005183723.tif 000009
【図８】
2005183723.tif 000010